(57)【要約】      （修正有）【課題】複数のネットワーク間の衝突を最小化するための方法及び装置を提供する。【解決手段】ネットワークは実質的に非同期であり、ハイブリッドネットワーク動作中（例えば、ＬＴＥ動作及びＣＤＭＡ１Ｘ動作）は、移動デバイスは、ＬＴＥネットワークに登録される一方で、ＣＤＭＡ１Ｘ音声呼を行う。ＬＴＥネットワークは、予測可能な行動（例えば、ＣＤＭＡ１Ｘページング）を考慮し、時間間隔が衝突する間に低優先度タスクをスケジュールする。その結果、移動デバイスが、ＣＤＭＡ１Ｘページをチェックするために、ＬＴＥネットワークから離れてチューニングするとしても、ＬＴＥネットワーク全体のパフォーマンス低下は最小限となる。【選択図】図３
2016054528.tif 000002
【特許請求の範囲】
【請求項１】
第１のネットワークと少なくとも１つの他のネットワークとの間の衝突を最小化するように構成されている無線装置であって、
第１のネットワークを介して１つ以上のクライアントデバイスにサービスを提供するように構成されている１つ以上のネットワークインタフェースと、
前記１つ以上のネットワークインタフェースとのデータ通信を行うプロセッサと、
前記プロセッサとデータ通信を行う記憶装置であって、コンピュータ実行可能命令を含む記憶装置とを備え、
前記コンピュータ実行可能命令は、前記プロセッサによって実行される場合に、
前記第１のネットワーク内のクライアントデバイスの動作を識別し、
前記識別されるクライアントデバイスが第２のネットワーク内の第１の優先度のタスクに対してスケジュールされる可能性がある１つ以上の時間スロットを判定し、
前記第１のネットワーク内の前記クライアントデバイスによって実行される第２の優先度のタスクをスケジュールして、前記判定される１つ以上の時間スロット中に発生するようにする
ことを特徴とする無線装置。
【請求項２】
前記第１の優先度は、前記第２の優先度よりも高い優先度である
ことを特徴とする請求項１に記載の無線装置。
【請求項３】
前記判定は、前記クライアントデバイスから受信される識別子から導出される情報の少なくとも一部に基づいている
ことを特徴とする請求項１に記載の無線装置。
【請求項４】
前記判定は、更に、前記第１のネットワークと前記第２のネットワークとに共通なタイミング情報の少なくとも一部に基づいている
ことを特徴とする請求項３に記載の無線装置。
【請求項５】
前記判定は、前記第２のネットワークとの当該無線装置による直接通信を行うことなく発生する
ことを特徴とする請求項１に記載の無線装置。
【請求項６】
前記第１のネットワークは、前記第２のネットワークとは異なる無線アクセス技術を備える
ことを特徴とする請求項１に記載の無線装置。
【請求項７】
前記コンピュータ実行可能命令は、更に、前記プロセッサによって実行される場合に、
第２の優先度を示すスケジュールされているタスクに対する、前記判定される１つ以上の時間スロットを評価し、
前記スケジュールされているタスクを、前記判定される１つ以上の時間スロットに準拠するように変換する
ことを特徴とする請求項１に記載の無線装置。
【請求項８】
前記１つ以上のネットワークインタフェースは、（ｉ）ＬＴＥ、（ｉｉ）ＣＤＭＡ、（ｉｉｉ）ＳＤ−ＣＤＭＡ、（ｉｖ）ＴＤ−ＬＴＥ、及び（ｖ）ＧＳＭを備えるグループから選択される
ことを特徴とする請求項１に記載の無線装置。
【請求項９】
ハイブリッドネットワーク動作を実行可能なクライアントデバイスであって、
プロセッサと、
前記プロセッサとデータ通信する少なくとも２つの無線インタフェースと、
前記プロセッサとデータ通信する記憶装置であって、コンピュータ実行可能命令を含む記憶装置とを備え、
前記コンピュータ実行可能命令は、前記プロセッサによって実行される場合に、
前記少なくとも２つの無線インタフェースの第１の無線インタフェースを使用して、第１のネットワークに登録し、
第１の識別子に基づいて、前記第１のネットワークから１つ以上の通信を受信するための第１のスケジュールを判定し、
前記少なくとも２つの無線インタフェースの第２の無線インタフェースを使用して、第２のネットワークに登録し、
前記第１の識別子を前記第２のネットワークへ提供し、
前記第１の識別子の少なくとも一部に基づいて、前記第２のネットワークによって判定される第２のスケジュールを受信する
ことを特徴とするクライアントデバイス。
【請求項１０】
前記第１の識別子は、国際移動体加入者識別子（ＩＭＳＩ）である
ことを特徴とする請求項９に記載のクライアントデバイス。
【請求項１１】
前記少なくとも２つの無線インタフェースは、（ｉ）ＬＴＥ、（ｉｉ）ＣＤＭＡ、（ｉｉｉ）ＳＤ−ＣＤＭＡ、（ｉｖ）ＴＤ−ＬＴＥ、及び（ｖ）ＧＳＭを備えるグループから選択される
ことを特徴とする請求項９に記載のクライアントデバイス。
【請求項１２】
前記第１のネットワークから前記１つ以上の通信を受信するための前記第１のスケジュールは、前記第２のネットワークによって判定される前記第２のスケジュールよりも高い優先度を有する
ことを特徴とする請求項９に記載のクライアントデバイス。
【請求項１３】
前記第１のネットワークとの１つ以上の通信における前記第１のスケジュールは、前記第１のネットワークとの通信を維持するために必要である
ことを特徴とする請求項１２に記載のクライアントデバイス。
【請求項１４】
複数のネットワーク間の衝突を最小化する方法であって、
第１のネットワーク内のクライアントデバイスの動作を識別し、
前記識別されるクライアントデバイスが、第２のネットワーク内の高優先度タスクに対してスケジュールされる可能性がある１つ以上の時間間隔を判定し、
前記判定される１つ以上の時間間隔の間に、前記第１のネットワーク内の低優先度タスクをスケジュールする
ことを特徴とする方法。
【請求項１５】
前記複数のネットワークは、実質的に互いに非同期である
ことを特徴とする請求項１４に記載の方法。
【請求項１６】
前記１つ以上の時間間隔の判定は、前記クライアントデバイスによって使用される識別子の少なくとも一部に基づいている
ことを特徴とする請求項１４に記載の方法。
【請求項１７】
前記判定は、更に、前記第１のネットワークと前記第２のネットワークとの間に共通の時間基準の少なくとも一部に基づいている
ことを特徴とする請求項１６に記載の方法。
【請求項１８】
前記第１のネットワークと前記第２のネットワークとは、セルラーネットワークを有する
ことを特徴とする請求項１４に記載の方法。
【請求項１９】
前記第１のネットワークは、前記第２のネットワークとは異なる無線アクセス技術を備える
ことを特徴とする請求項１８に記載の方法。
【請求項２０】
前記第１のネットワークと前記第２のネットワークは、（ｉ）ＬＴＥ、（ｉｉ）ＣＤＭＡ、（ｉｉｉ）ＳＤ−ＣＤＭＡ、（ｉｖ）ＴＤ−ＬＴＥ、及び（ｖ）ＧＳＭを備えるグループから選択される
ことを特徴とする請求項１４に記載の方法。
【発明の詳細な説明】
【技術分野】
【０００１】
優先権
本願は、２０１２年５月１８日に同一の発明の名称で同時出願している米国特許出願シリアル番号１３／４７５，８０２号の優先権を主張するものであり、この米国特許出願は、２０１１年５月２０日に同一の発明の名称で出願している米国仮特許出願シリアル番号６１／４８８，６２０号、２０１２年２月１４日に同一の発明の名称で出願している米国仮特許出願シリアル番号６１／５９８，８１５号、２０１２年２月１５日に同一の発明の名称で出願している米国仮特許出願シリアル番号６１／５９９，３１３号の優先権を主張するものであり、これらは参照することによって本明細書に組み込まれる。
【０００２】
関連出願
本願は、共同所有し、同時係属の、発明の名称が「ハイブリッドネットワーク環境におけるクライアントサーバを相互作用させるための装置及び方法」である２０１２年５月１８日に同時出願している米国特許出願シリアル番号１３／４７５，４８２号と、発明の名称が「ハイブリッドネットワーク環境におけるスケジュールされる動作を最適化するための装置及び方法」である２０１２年５月１８日に同時出願している米国特許出願シリアル番号１３／４７５，６５５号とに関連し、更には、共同所有し、同時係属の、発明の名称が「デュアルネットワーク移動デバイス無線リソース管理」である２０１１年４月２５日に出願している米国仮特許出願シリアル番号６１／＿＿＿＿＿号と、発明の名称が「複数の無線アクセス技術の共存をサポートする単一無線デバイス」である２０１１年４月２２日に出願している米国仮特許出願シリアル番号６１／＿＿＿＿＿号と、発明の名称が「複数のネットワークの移動デバイス接続管理」である２０１１年４月６日に出願している米国仮特許出願シリアル番号６１／＿＿＿＿＿号と、発明の名称が「複数のアンテナを有するデバイスへの動的ローディング」である２０１１年１月１４日に出願している米国仮特許出願シリアル番号６１／＿＿＿＿＿号と、発明の名称が「デュアル回路アーキテクチャを備えるマルチモードユーザ機器」である２０１１年１月１４日に出願している米国仮特許出願シリアル番号６１／＿＿＿＿＿号とに関連し、これらは参照することによって本明細書に組み込まれる。
【背景技術】
【０００３】
１．発明の分野
本発明は、一般的には、異種無線システム内の動作に関するものであり、これには、例えば、いくつかのネットワークの任意の１つを使用してクライアントデバイスが通信することができるハイブリッドネットワーク動作に関するものである。より詳しくは、例示の一態様では、本発明は、別のネットワーク（例えば、その１つは、実質的には、第１のネットワークと非同期である）とのスケジューリングの衝突を最小化するためのネットワーク用の方法及び装置に向けられたものである。
【０００４】
２．関連技術の説明
セルラーネットワークオペレータは、例えば、セルラー基地局（ＢＳ）、基地局コントローラ、インフラストラクチャノード等のネットワークインフラストラクチャ（基盤）を介して公衆に移動電気通信サービスを提供する。様々な広範囲のセルラーネットワーク技術が存在し、また、歴史的なセルラーデバイスは、単一のセルラーネットワーク内で動作するように特化されている。しかしながら、セルラー技術は益々、日用品化されているので、デバイスは、いわゆる「マルチモード」動作、即ち、単一のデバイスが、２つ以上のセルラーネットワーク上で動作することができることを提供することができるようになっている。マルチモード動作は、１つのデバイスにいくつかのネットワーク技術の任意の１つで動作することを可能にしているが、複数のネットワーク技術の同時動作は実現していない。
【０００５】
当初の研究は、いわゆる「ハイブリッド」ネットワーク動作に向けられている。ハイブリッドネットワーク動作中に、クライアントデバイスは、異なる技術を有する複数の個別ネットワークに渡って同時に動作する。一例としては、ハイブリッドデバイスは、（ｉ）ロングタームエボリューション（ＬＴＥ）ネットワークと、（ｉｉ）符号分割多元アクセス１Ｘ（ＣＤＭＡ１Ｘ）ネットワークとの両方をサポートすることができる。即ち、このハイブリッドデバイスは、第１のＬＴＥネットワークと第２のＣＤＭＡ１Ｘネットワークとの間の同時接続を維持することができる。例えば、ＬＴＥ／ＣＤＭＡ１Ｘハイブリッドデバイスは、移動デバイスがＬＴＥモードである一方で、ＣＤＭＡ１Ｘネットワークを介する音声呼を実施することができる。別の例では、ハイブリッドデバイスは、（ｉ）ＣＤＭＡ１Ｘ−ＥＶＤＯ（エボリューションデータ最適化）ネットワークと、（ｉｉ）ＣＤＭＡ１Ｘネットワークの両方をサポートすることができる。
【０００６】
ハイブリッドネットワーク動作の既存のソリューションは、ネットワーク間の自身の動作を管理するためのクライアントデバイスに依存する。具体的には、クライアントデバイスは、様々なサービスネットワークとの自身のアクティブな接続を維持することを担当し、既存のネットワーク設備を変更することは要求されない（即ち、ハイブリッドネットワーク動作は、ネットワークインフラストラクチャのレガシーなハードウェア及びソフトウェアに影響を与えない）。クライアント中心ハイブリッド動作は、いくつかの利点を有している。例えば、ネットワークオペレータに対するインフラストラクチャコストは（あるとしても）かなりわずかである。また、ハードウェアコストを、コンシューマ向けのデバイスの価格に組む込むことができる。加えて、ハイブリッドネットワーク動作は、既存のレガシーデバイスに影響を与えない。同様に、ハイブリッド動作を実現できるデバイスは、通常の動作も実行することができる。
【０００７】
しかしながら、ハイブリッドネットワーク動作に対する既存のソリューションは、互いに調整することを構成ネットワークに要求しないので、クライアントデバイスは、一定のスケジューリング衝突を不可避的に経験することになる。例えば、移動デバイスが第１のＬＴＥネットワークに接続されている間は、移動デバイスは、ＣＤＭＡ１Ｘ動作（例えば、デバイスがページ動作しているかを判定するための高速ページングチャネル（ＱＰＣＨ）の復号）を実行するために定期的にＬＴＥネットワークを「チューンアウト（tune out）」しなければならない。チューンアウト期間中に移動デバイスがＬＴＥネットワークからデータを受信する場合、このデータは損失する。また、チューンアウトされる移動デバイスは、任意のブロードキャストされ、更新されるネットワークリソース情報あるいは制御データを見逃すことになるので、ＬＴＥネットワークへのアクセスから移動デバイスが除外されることになり得る（少なくとも一定の期間の間）。
【０００８】
その結果、移動デバイスに対するスケジューリング衝突を最小化するための改良された方法及び装置が必要とされている。
【発明の概要】
【０００９】
本発明は、とりわけ、ネットワーク間のスケジューリング衝突を最小化するための改良された装置及び方法を提供することによって、上述の要望を満足する。
【００１０】
本発明の一態様では、複数のネットワーク間の衝突を最小化するための無線装置が開示される。一実施形態では、前記無線装置は、１つ以上のネットワークインタフェースと、前記１つ以上のネットワークインタフェースとのデータ通信を行うプロセッサと、前記プロセッサとデータ通信を行う記憶装置であって、コンピュータ実行可能命令を含む記憶装置とを備える。
【００１１】
一変形では、前記コンピュータ実行可能命令は、前記プロセッサによって実行される場合に、前記第１のネットワーク内のクライアントデバイスの動作を識別し、前記識別されるクライアントデバイスが第２のネットワーク内の第１の優先度のタスクに対してスケジュールされる可能性がある１つ以上の時間スロットを判定し、前記第１のネットワーク内の前記クライアントデバイスによって実行される第２の優先度のタスクをスケジュールして、前記判定される時間スロット中に発生するようにする。
【００１２】
第２の変形では、前記第１の優先度は、前記第２の優先度よりも高い優先度である。
【００１３】
第３の変形では、前記判定は、前記クライアントデバイスから受信される識別子から導出される情報の少なくとも一部に基づいている。
【００１４】
第４の変形では、前記判定は、更に、前記第１のネットワークと前記第２のネットワークとに共通なタイミング情報の少なくとも一部に基づいている。
【００１５】
本発明の第２の態様では、ハイブリッドネットワーク動作を実行可能なクライアントデバイスが開示される。一実施形態では、このクライアントデバイスは、プロセッサと、前記プロセッサとデータ通信する少なくとも２つの無線インタフェースと、前記プロセッサとデータ通信する記憶装置であって、コンピュータ実行可能命令を含む記憶装置とを含んでいる。
【００１６】
一変形では、前記コンピュータ実行可能命令は、実行される場合に、前記少なくとも２つの無線インタフェースの第１の無線インタフェースを使用して第１のネットワークに登録し、第１の識別子に基づいて、前記第１のネットワークから１つ以上の通信を受信するための第１のスケジュールを判定し、前記少なくとも２つの無線インタフェースの第２の無線インタフェースを使用して第２のネットワークに登録し、前記第１の識別子を前記第２のネットワークへ提供し、前記第１の識別子の少なくとも一部に基づいて、前記第２のネットワークによって判定される第２のスケジュールを受信する。
【００１７】
本発明の第３の態様では、複数のネットワーク間の衝突を最小化する方法が開示される。一実施形態では、第１のネットワーク内のクライアントデバイスの動作を識別すること、前記識別されるクライアントデバイスが第２のネットワーク内の高優先度タスクに対してスケジュールされる可能性がある１つ以上の時間間隔を判定すること、及び前記判定される１つ以上の時間間隔の間に、前記第１のネットワーク内の低優先度タスクをスケジュールすることを含んでいる。
【００１８】
本発明の第４の態様では、コンピュータ可読記憶媒体装置が開示される。一実施形態では、前記コンピュータ可読記憶媒体装置は、自身に記憶されている少なくとも１つのコンピュータプログラムを有する記憶媒体を含んでいて、前記少なくとも１つのプログラムは、実行される場合に、クライアントデバイスを識別すること、前記識別されるクライアントデバイスが別のネットワーク内の高優先度タスクをスケジュールすることができる１つ以上の時間間隔を判定すること、前記判定される１つ以上の時間間隔の間に、低優先度タスクをスケジュールすることの少なくとも１つを実行するように構成されている。
【００１９】
本発明の第５の態様では、ハイブリッドネットワークシステムが開示される。一実施形態では、前記ハイブリッドネットワークシステムは、少なくとも２つのネットワークを備え、前記ハイブリッドネットワークシステムの少なくとも１つのネットワークは、前記少なくとも２つのネットワークの１つ以上のネットワークの高優先度タスクに基づいて、自身のタスクの１つ以上のタスクを優先度付する。
【００２０】
本発明の第６の態様では、ネットワークが開示される。一実施形態では、ネットワークは、１つ以上の他のネットワークの指定されたタスクに基づいて、自身のタスクの１つ以上のタスクを優先度付けする。
【００２１】
本発明の他の特徴及び利点は、添付の図面と、以下で示される例示の実施形態の詳細説明を参照することで、当業者によって直ちに認識されるであろう。
【図面の簡単な説明】
【００２２】
【図１】本発明で有用な一例のハイブリッドネットワークシステムを示す論理ブロック図である。
【図２】本発明に従って構成されるユーザ機器（ＵＥ）の例示の実施形態の機能ブロック図である。
【図３】本発明に従う、非同期ネットワーク間のスケジューリング衝突を最小化するための一般的な方法の一実施形態を示す論理フロー図である。
【図４】ロングタームエボリューションネットワークと符号分割多元アクセス１Ｘネットワークとの状況での図３の方法の一例の実装を示す論理フロー図である。
【図５】本発明の様々な方法を実現するために有用な無線ネットワーク装置の例示の実施形態の機能ブロック図である。
【発明を実施するための形態】
【００２３】
全体を通して、同様の参照番号は同様の部分を参照している図面を参照する。
【００２４】
概要
一態様では、本発明は、例えば、２つ以上の非同期ネットワーク間のスケジューリング衝突を最小化するための方法及び装置を提供する。一実施形態では、第１のネットワークは、一定の時間間隔の間で発生する別のネットワークに対する「高優先度」タスクの尤度に基づいて、「低優先度」タスクに対してその一定の時間間隔を割り当てる。低優先度のタスクのみを割り当てられた時間間隔中にクライアントデバイスに対してスケジュールするので、クライアントデバイスが他のネットワーク（群）と通信するために第１のネットワークをチューンアウトする場合には、パフォーマンスは最小限の影響を受けることになる。例示の実装では、第１のネットワークは、クライアントデバイスが別のネットワークと対話するためにいつチューンアウトするか通知されない。事実、第１のネットワークは、他のネットワークとのクライアントのデバイスの接続状態を全く知らなくても良く、これは、動作を効果的に簡略化し、そして、ネットワーク（群）に対する任意のインフラストラクチャ変更を取り除くことになる。
【００２５】
ユーザ機器（ＵＥ）デバイスは、例えば、第２のネットワーク（ＣＤＭＡ１Ｘ）のページングチャネルメッセージをチェックするために、第１のネットワーク（例えば、ＬＴＥネットワーク）をチューンアウトすることができる。ＬＴＥネットワークは、ＣＤＭＡ１Ｘページングチャネル動作中に無線モニタリングタスク（例えば、ギャップ測定）をスケジュールする。その結果、移動デバイスがＣＤＭＡ１Ｘページングチャネルにチューニングする場合、ＬＴＥネットワークについて移動デバイスに対するアクティビティは存在しない。ページングチャネルをチェックした後、低優先度タスクだけを見逃している移動デバイスは、ＬＴＥネットワークへ戻ることができる。受信したページングのイベントでは、移動デバイスは、そのページングに応答して、ＬＴＥネットワーク接続をタイムアウトさせることができる。
【００２６】
また、本発明の様々な態様は、他のネットワークに適用することができ、また、他のタイプの予測可能なネットワークトラフィックに適用することができる。より一般的には、本発明の様々な態様は、タスクのスケジューリングを改善するように適合することができ、また、複数のネットワーク環境でのスケジューリング衝突を大きく削減するように適合することができる。
【００２７】
例示の実施形態の詳細説明
本発明の例示の実施形態と態様を、詳細に説明する。これらの実施形態と態様は、おもに、ロングタームエボリューション（ＬＴＥ）ネットワーク、符号分割多元アクセス１Ｘ（ＣＤＭＡ１Ｘ）セルラーネットワーク、及びＣＤＭＡ１Ｘ  ＥＶＤＯ（エボリューションデータ最適化）の環境で説明される一方で、当業者は、本発明は、これに限定されず、他のセルラー技術に使用することができることを認識するであろう。これには、例えば、ＴＤ−ＬＴＥ（時分割ロングタームエボリューション）、ＴＤ−ＬＴＥ−アドバンスド、ＴＤ−ＳＣＤＭＡ（時分割同期符号分割多元アクセス）及び移動通信用グローバルシステム（ＧＳＭ）がある。事実、本発明の様々な態様は、任意のネットワーク（セルラー、無線、有線あるいはそれ以外）との組み合わせで有用であり、これは、他のネットワークとのスケジューリング衝突を最小化するインテリジェントなスケジューリングの恩恵を受けることができる。
【００２８】
ＬＴＥ／ＣＤＭＡ１Ｘハイブリッドネットワーク動作
図１は、例示のハイブリッドネットワークシステム１００を示している。例示のハイブリッドネットワークは、第１のＬＴＥ  ＲＡＮ（無線アクセスネットワーク）１０２Ａと第２のＣＤＭＡ１Ｘ  ＲＡＮ１０２Ｂとを備え、これらは、ユーザ機器（ＵＥ）クライアントデバイス２００と通信する。図１で示されるように、ＬＴＥ  ＲＡＮとＣＤＭＡ１Ｘ  ＲＡＮは非同期であり、また、他のＲＡＮ動作を全く知らない。他の状況では、これらのＲＡＮは、より高レベルの調整を有することができ、例えば、ＲＡＮは、緩く同期しても良いし、あるいは、これらの動作の一態様においてはかなり厳格に同期しても良い。
【００２９】
図２を参照すると、例示のユーザ機器（ＵＥ）装置２００が詳細に説明される。ＵＥは、（ｉ）１つ以上の無線周波数（ＲＦ）フロントエンド２０２、（ｉｉ）１つ以上のベースバンドプロセッサ２０４、及び（ｉｉｉ）少なくとも１つのアプリケーションプロセッサ２０６、及びそれに関連するメモリ（群）２０８を含んでいる。様々な実装では、ＲＦフロントエンドとベースバンドプロセッサは、更に、１つの無線技術を取り扱うように特化することができ、あるいは、複数の無線技術を網羅するように汎用化することができる。
【００３０】
図示されるように、例示のＵＥは、第１のＲＦフロントエンドを含み、これは、ＬＴＥネットワークとＣＤＭＡ１Ｘネットワークそれぞれとのインタフェースを構成するように適合されている第１のベースバンドプロセッサと第２のベースバンドプロセッサに接続されている。上述の構成設定は、単なる例示であり、様々な実装は他のセルラー技術を含むことができることが明らかであろう。この他のセルラー技術には、例えば、ＧＳＭ、ＧＰＲＳ、ＥＤＧＥ、ＷＣＤＭＡ、ＣＤＭＡ２０００、ＣＤＭＡ１Ｘ  ＥＶＤＯ、ＬＴＥ−Ａ（ＬＴＥアドバンスド）等の、様々な組み合わせがある。また、説明を簡単にするために単一のＲＦフロントエンドだけが示されているが、ＲＦフロントエンドは、複数の受信アンテナ及び送信アンテナの少なくとも一方、及び複数の受信チェーン及び送信チェーンの少なくとも一方の少なくとも一方を含むことができる（また、通常は、含むことになる）ことが明らかであろう。例えば、周知のＭＩＭＯ（マルチプルインマルチプルアウト）、ＳＩＳＯ（シングルインシングルアウト）、ＭＩＳＯ（マルチプルインシングルアウト）、及びＳＩＭＯ（シングルインマルチプルアウト）アンテナの構成設定が、関連技術の範囲で広く使用され、また、本発明とともに使用することができる。
【００３１】
加えて、本発明の一例の実施形態では、ＵＥ２００は、更に、様々なアンテナ２０２の１つ（あるいはそれ以上）と１つ（あるいはそれ以上）のベースバンドプロセッサ２０４とを接続することができるスイッチング構造２１０を備える。図示のスイッチング構造は、ＬＴＥベースバンドあるいはＣＤＭＡ１Ｘベースバンドの一方をＲＦフロントエンドに接続するように適合されている。しかしながら、共通の実施形態では、１つのベースバンドプロセッサを１つのアンテナ（一対一）、一対多、多対一等に接続することができる。この「スイッチング」能力は、いくつかの理由、例えば、（ｉ）電力管理、（ｉｉ）処理効率／柔軟性、及び（ｉｉｉ）アンテナ分離制約を含む理由で要望されていて、このアンテナ分離制約は移動デバイスの複数の無線通信のサブセットだけが任意の時間でアクティブであることを要求する。いくつかの小型のフォームファクタ設計では、動作中に複数のアンテナを完全に分離するための十分な空間がないので、その結果、１つのアンテナだけが、任意の時間でアクティブとなり得る。同様に、一定のフォームファクタ設計は、任意の時間に一つの無線インタフェースだけが共通のアンテナを使用することができるよう、様々な無線インタフェースのためにアンテナを再使用できる。依然として存在する他の動機があることは当業者には明らかであるが、ここでは、更なる説明は行わない（例えば、ビジネスあるいは利益上の検討、ネットワーク利用等）。
【００３２】
また、他のコンポーネントがＵＥ２００内に共通して組む込まれることは明らかであるので、これについては更に説明しない。例えば、ＵＥは、ユーザインタフェースコンポーネント（ディスプレイスクリーン、ボタン、タッチスクリーン、ダイアル等）、メモリコンポーネント（例えば、ＲＡＭ（ランダムアクセスメモリ）、フラッシュ、ハードディスクドライブ（ＨＤＤ）等）、電力管理コンポーネント（例えば、バッテリ、充電コンポーネント等）、及び外部インタフェース（例えば、ファイヤワイヤ（登録商標）、ユニバーサルシリアルバス（登録商標）（ＵＳＢ）、サンダーボルト等）を含むことができる。
【００３３】
また、図２に示されるＵＥは単なる例示の実施形態の図であることが認識されるべきである。本発明に有用な更なる他の変形も、共同所有し、同時係属の、発明の名称が「デュアルネットワーク移動デバイス無線リソース管理」である２０１１年４月２５日に出願している米国仮特許出願シリアル番号６１／＿＿＿＿＿号と、発明の名称が「複数の無線アクセス技術の共存をサポートする単一無線デバイス」である２０１１年４月２２日に出願している米国仮特許出願シリアル番号６１／＿＿＿＿＿号と、発明の名称が「複数のネットワークの移動デバイス接続管理」である２０１１年４月６日に出願している米国仮特許出願シリアル番号６１／＿＿＿＿＿号と、発明の名称が「複数のアンテナを有するデバイスへの動的ローディング」である２０１１年１月１４日に出願している米国仮特許出願シリアル番号６１／＿＿＿＿＿号と、発明の名称が「デュアル回路アーキテクチャを備えるマルチモードユーザ機器」である２０１１年１月１４日に出願している米国仮特許出願シリアル番号６１／＿＿＿＿＿号とに関連し、これらは参照することによって本明細書に組み込まれる。
【００３４】
図２の一例のＵＥ２００は、例えば、図１のハイブリッドネットワークシステム内のＬＴＥ／ＣＤＭＡ１Ｘハイブリッドモード動作が可能である。具体的には、ＵＥ２００は、ＬＥＴネットワークに登録しながら、ＣＤＭＡ１Ｘ音声呼を行うことができる。ハイブリッド動作中は、ＵＥは、ＬＴＥネットワーク１０２ＡとＣＤＭＡ１Ｘネットワーク１０２Ｂの両方に登録することができる。ＵＥは、ＬＴＥネットワークあるいはＣＤＭＡ１Ｘネットワークのどちらかからのデータ及び制御メッセージを受信し応答することができるが、上述のように、ＵＥは、両方のネットワークに同時に応答することができず、常に、ＬＴＥ（データ）トラフィックよりもＣＤＭＡ１Ｘ（音声呼）トラフィックを優先することで、音声呼に対するユーザ体験に影響が及ばないことを保障する。他の実装は、他の優先順位付けスキームを有することができる（例えば、音声呼は、トラフィックのタイプ、歴史的なデバイスの使用等に基づいて、優先度をより低くする）。
【００３５】
具体的には、ＵＥ２００はＬＥＴネットワーク１０２Ａに一旦接続すると、ＵＥは、定期的にＬＴＥネットワークから離れて自身の無線状態をチューニングして、ＣＤＭＡ１Ｘメインテナンス動作を実行する。これには、ＣＤＭＡ１Ｘセルを取得すること、その取得したＣＤＭＡ１Ｘセルに登録すること、そして、ＣＤＭＡ１Ｘページングを受信すること等がある。ＣＤＭＡ１Ｘネットワーク１０２Ｂの無線状態に依存して、これらの動作は、一実装例では、８０ミリ秒（８０ｍｓ）から数秒（４ｓ−６ｓ）の範囲とすることができる。また、ＵＥがＣＤＭＡ１Ｘネットワークにおいて音声呼を受信するあるいは行う場合、ＬＴＥ接続を切断することができる。
【００３６】
この状況内では、一定のタイプのネットワークメインテナンスを予測することができ、そして、その周辺でスケジュールすることができる。ＬＴＥタスクの注意深いスケジューリングは、ＣＤＭＡ１Ｘ通信とのスケジューリング衝突を大きく削減することができる。例えば、ＣＤＭＡ１Ｘは、かなり予測可能なページングメカニズムを有している。ＵＥは、ＣＤＭＡ１ＸページングをチェックするためにＬＴＥネットワークから離れてチューニングしなければならず、ＬＴＥネットワークは、ＣＤＭＡ１Ｘページングチャネル動作が低優先度（あるいは優先度なし）タスクと重複することを保証することによって、予測的にハイブリッドネットワークパフォーマンスを増加させることができる。
【００３７】
ＴＤ−ＬＴＥ／ＴＤ−ＳＣＤＭＡネットワーク動作
従来技術で理解されるように、ロングタイムエボリューション時分割デュプレックス（ＬＴＥ  ＴＤＤ）としても知られる時分割ロングタームエボリューション（ＴＤ−ＬＴＥ）は、周波数分割（ＦＤ）−ＬＴＥに類似している。周波数分割デュプレックスの場合、ダウンリンクとアップリンクは異なる周波数を使用して送信される。時分割デュプレックスでは、ダウンリンクとアップリンクは同一周波数上にあり、分割は時間ドメイン内で発生する。そうすることで、呼における各方向は特定の時間スロットに割り当てられる。同様に、時分割同期符号分割多元アクセス（ＴＤ−ＳＣＤＭＡ）は、アップリンク対象のトラフィック（移動端末から基地局への）とダウンリンク対象のトラフィック（基地局から移動端末への）に、同一フレームで異なる時間スロットを使用することを許容する。本発明の実施形態は、（本明細書で説明される無線アクセス技術の１つ以上の異なる組み合わせを使用すること以外に）図３を参照して説明される方法技術を実現することによって、これらの技術を一緒に、また、個別に（他の技術と組み合わせて）使用することを保証する。
【００３８】
ＴＤ−ＬＴＥとＴＤ−ＳＣＤＭＡに関連する例示の実施形態は、ＴＤ−ＬＴＥネットワークに接続されるＵＥが、ＴＤ−ＳＤＣＭ動作を実行するために定期的に（あるいはイベント駆動毎にあるいは他の基準毎に）ＴＤ−ＬＴＥネットワークから離れて自身の無線通信をチューニングする。この動作には、例えば、セル選択、登録、及びページの受信がある。
【００３９】
ＴＤ−ＬＴＥ／ＧＳＭネットワーク動作
従来技術で理解されるように、移動通信用グローバルシステム（ＧＳＭ）は、セルラー技術規格であり、また、いくつかの改良型を網羅している。これには、汎用パケット無線サービス（ＧＰＲＳ）、ＧＳＭエボリューション用拡張データレート（ＥＤＧＥ）、及び３Ｇ（第３世代）ＵＭＴＳとして知られるユニバーサル移動電気通信システム（ＵＭＴＳ）がある。
【００４０】
ＴＤ−ＬＴＥ及びＧＳＭの両方に関連する例示の実施形態では、ＴＤ−ＬＴＥネットワークに接続されるＵＥは、定期的に（あるいはイベント駆動毎にあるいは他の基準毎に）、ＧＳＭ動作を実行するためにＴＤ−ＬＴＥから離れて自身の無線通信をチューニングする。この動作には、セル選択、登録、及びページングの受信がある。
【００４１】
方法
図３を参照すると、別の非同期ネットワークとのスケジューリング衝突を最小化するための方法３００の一実施形態が示される。一状況では、クライアントデバイスが第１のネットワークに接続され、ここで、第１のネットワークは、他のネットワークとそのクライアントデバイスの接続を全く知らない。選択的には、第１のネットワークは、近隣ネットワークについての限定された情報（例えば、タイミング情報、登録済デバイス等）を有することができ、これは、定期的にリフレッシュされるが、第１のネットワークに関する動作の決定に組み込まれていない。更に別のネットワーク状況では、第１のネットワークと他のネットワークとが密結合していても良いが、衝突を最小化するために衝突するスケジュールのインテリジェントマネジメント（例えば、ネットワークが、ロケーションエリア更新のような情報、ページング情報等を共有する）を依然として要求する場合がある。例えば、第１のＬＴＥネットワークが第２のＣＤＭＡ１Ｘネットワークに密結合されている場合でさえ、ＬＴＥネットワークは、ＣＤＭＡ１Ｘネットワークスケジュールの周辺で自身のデバイスアクセスをインテリジェントにスケジュールしなければならず、逆の場合もそうである。
【００４２】
方法３００のステップ３０２で、クライアントデバイスが識別される。一実施形態では、クライアントデバイスは、すべてのネットワークに渡って固有である識別子で識別される。例えば、一実施形態では、移動デバイスは、すべてのネットワークに渡ってすべての移動デバイスに対して固有である、国際移動体加入者アイデンティティ（ＩＭＳＩ）で識別される。代替の実施形態では、クライアントデバイスは、少なくとも１つのネットワークに対して固有である識別子で識別される。例えば、デバイスには、すべての他のネットワークに渡って固有ではないが、少なくとも１つのネットワークに対してデバイスを固有に識別する一時識別子を割り当てることができる（例えば、一般的な例は、例えば、ネットワークアドレス、サービス設定識別子（ＳＳＩＤ）等）。
【００４３】
肯定ステップとして列挙される一方で、上述のステップ３０２は、実際には、他のステップあるいは動作に統合されても良い、あるいは他のステップあるいは動作と本質的に一緒に実行されても良いことが明らかであろう。例えば、方法３００が実現される場合、デバイス（及び、実際には、１つ以上の関連ネットワーク）は、例えば、サービスへのアクセス用のネットワークに対するデバイスの認証によって、デバイスの識別子を既にわかっている場合がある。
【００４４】
ステップ３０４で、第１のネットワークは、１つ以上の時間間隔を判定し、その間に、識別されるクライアントデバイスは、１つ以上の他のネットワーク内で「高優先度」タスクに対してスケジュールされる可能性がある。本明細書で使用されるように、用語「高優先度」は、制限することなく、異なるタスク、異なる動作あるいは、ネットワーク内のデバイスの動作に関係する異なる要件、あるいは、ネットワーク自身に関係する異なる要件の順番を広く含めるために使用される。優先度は、例えば、タスクあるいは動作に基づいていても良く、これには、（ｉ）クライアントデバイスあるいはＵＥがネットワークとの通信を維持するために必要なもの、（ｉｉ）時間に影響を受ける動作あるいは定期動作をサポートするために（例えば、ストリーミングメディア、緊急呼、重要更新ブロードキャスト、あるいはビーコン等、に対するタイミングあるいはＱｏＳ要件を満足するために）必要なもの、及び／あるいは（ｉｉｉ）ユーザ専用プリファレンスあるいは要件（例えば、「常にＹよりもＸを優先する」など）をサポートするためのものがある。
【００４５】
加えて、タスクの「高優先度／低優先度」（即ち、２つの状態）の階層構造は、実施形態で説明している一方で、他のスキームの任意の数を採用することができることができるであろう。この他のスキームには、例えば、動作のタイプを変更するための１つ以上の閾値を有する均等目盛の優先度（例えば、１−１０）、「常に／決してしない」スキーム（例えば、いくつかの動作あるいはタスクは、常に優先度付けされ、及びそれ以外は、決して優先度付けされない）等がある。
【００４６】
また、本明細書で使用されるように、用語「ネットワーク」は、本発明の様々な態様を実施することができる、例えば、ネットワーク内の任意の管理上のエンティティを含むことができる。例えば、このようなエンティティには、基地局（例えば、ノードＢ、拡張ノードＢ（ｅＮＢ）、無線ネットワークコントローラ（ＲＮＣ））等を含むことができる。
【００４７】
一実施形態では、第１のネットワークと１つ以上の他のネットワークは、同一の時間基準から自身の時間基準を導出する。例えば、ＬＴＥ基地局とＣＤＭＡ１Ｘ基地局は、同一の時間基準を共有せず、そして、互いに同期しない一方で、両ネットワークは、グローバル位置決めシステム（ＧＰＳ）時間基準から自身の時間基準を導出する。従って、ＬＴＥ時間基準とＣＤＭＡ１Ｘ時間基準は、互いに関してドリフトすることはない。それゆえ、ＣＤＭＡ１Ｘ時間は、ＬＴＥ時間の関数として計算することができ、その逆もできる。導出される時間基準の他の例は、電力線の交流（ＡＣ）周波数（即ち、アメリカ合衆国内の６０Ｈｚ、他の場所での５０Ｈｚ）から導出されるものを含んでいて、あるいは共通シグナリング基準から導出される時間基準等を含んでいる。
【００４８】
選択的には、第１のネットワークと１つ以上の他のネットワークは、緩く同期することができる。例えば、ネットワークは常に同期していなくても良い一方で、これらのネットワークは、時間ドリフトを最小化するために、定期的な／不定期な基準（例えば、タイムスタンプ、時間基準、時間パルス等）で時間情報を交換することができる。時間基準調整は、密結合されているネットワークに本来備わっているものであり、これについては更には説明しない。
【００４９】
また、本発明の他の実施形態は、識別されるクライアントデバイスが１つ以上の他のネットワーク内で低優先度タスクを実行するようスケジュールされる１つ以上の時間間隔を判定しても良い。これらの他の実施形態では、他のネットワーク内でスケジュールされる低優先度タスクは、第１のネットワーク内の高優先度データ転送をスケジュールすることに適している。
【００５０】
以下で詳細に説明するように（例示の動作を参照）、一例のＬＴＥ／ＣＤＭＡ１Ｘハイブリッド環境では、移動電話は、自身の国際移動体加入者アイデンティティ（ＩＭＳＩ）に基づいて、高速ページングチャネル（ＱＰＣＨ）の一定の時間スロットをチェックしなければならない。移動電話がＱＰＣＨにおける着信ページングを有している場合、移動電話は、更に、ＱＰＣＨの直後に続く転送共通制御チャネル（Ｆ−ＣＣＣＨ）／転送ページングチャネル（Ｆ−ＰＣＨ）を復号しなければならない。従って、ＬＴＥネットワークのｅノードＢは、移動デバイス用の推定ＣＤＭＡ１Ｘ  ＱＰＣＨ時間間隔（及びそれに続くＦ−ＣＣＣＨ／Ｆ−ＰＣＨの解読）と重複する、自身の１つ以上の時間間隔を判定する。
【００５１】
ページングチャネルの受信に加えて、本発明の様々な態様は、任意の予測可能なイベントとともに使用可能であることが明らかである（即ち、識別されるデバイスが第１のネットワークから離れてチューニングされることが一般的に高い尤度となるときはいつでも）。予測可能なイベントの一般的な例は、定期的な受信イベントあるいは送信イベント（例えば、定期的なブロードキャストチャネル、定期的な更新、パイロットチャネル等）を含んでいて、また、決定論的なイベント（例えば、クライアントデバイス通知に基づいて、ロケーションエリア更新を受信することが、別のネットワークの更新に関連する場合があること等）。
【００５２】
方法３００のステップ３０６は、判定された時間間隔中に、第１のネットワークが、識別されたクライアントデバイスに対して低優先度タスクをスケジュールする。一実施形態では、低優先度タスクは、完全に先取りされ得る、あるいは無視され得る。選択的には、低優先度タスクは、頻繁な中断及び頻繁な失敗の少なくとも一方を許容することができる。
【００５３】
例示の実施形態では、低優先度タスクだけが判定された時間間隔中にクライアントデバイスに対してスケジュールされるので、他のネットワークをチェックするためにチューニングアウト（tuning out）するクライアントデバイスによってパフォーマンスは最小限の影響を受ける。一実装では、クライアントデバイスが別のネットワークと対話するためにいつチューニングアウトしているかを第１のネットワークに通知することを、クライアントデバイスは要求されない。むしろ、クライアントデバイスは、第１のネットワークをチューンアウトして、他のネットワーク（群）内で要求される動作を実行し、及び第１のネットワークに対する中断をすることなく復帰することができる。例えば、クライアントデバイスは、ＬＴＥネットワークをチューンアウトし、ＣＤＭＡ１ＸネットワークのＱＰＣＨをチェックすることができ、そして、ページングが存在しない場合は、クライアントデバイスは、低優先度タスクだけを見逃している通常のＬＴＥ動作へ復帰することができる。受信したページングのイベントでは、移動デバイスは、ページングに応答して、最終的には、ＬＴＥネットワーク接続をタイムアウトさせることができる。
【００５４】
選択的には、いくつかの実施形態では、移動デバイスは、ページングに応答して、第１のネットワークに自身の接続を「優雅に」切断することを許容することを第１のネットワークに通知することができる（即ち、接続あるいはサービスの不意の損失なしに）。
【００５５】
いくつかの実施形態では、低優先度タスクは、クライアントデバイスと第１のネットワークとの間でアクティブなデータ交換を介在しない。選択的には、低優先度タスクは、重要でない情報、少量のデータ、冗長データの送信を含むことができ、あるいは、そうでなければ、損失の多い行動（例えば、ロバスト転送誤り訂正、再送信スキーム等）を容認するように構成することができる。低優先度タスクの一般的な例は、無線モニタリング（例えば、セル選択／セル再選択手順）、低優先度メッセージング（例えば、ロケーション更新、定期的なパフォーマンスデータ等）、時間に鈍感なデータ送信等を含んでいる。
【００５６】
例示の動作
図４を参照すると、図３の方法３００の一例の実装が、具体的には、ロングタームエボリューション（ＬＴＥ）ネットワークと符号分割多元アクセス１Ｘ（ＣＤＭＡ１Ｘ）ネットワークとの間のスケジューリング衝突を最小化する状況で示され及び記載されている。
【００５７】
方法４００のステップ４０２で、ユーザ機器（ＵＥ）２００は、ＣＤＭＡ１Ｘネットワーク１０２Ｂに登録する。ＣＤＭＡ１Ｘへの登録中に、ＵＥは、自身の固有の国際移動体加入者アイデンティティ（ＩＭＳＩ）を用いて、ＣＤＭＡ１Ｘネットワークに対して自身を識別する。ＣＤＭＡ１Ｘ動作の様々な態様は、ＵＥのＩＭＳＩによって定義される。例えば、ＣＤＭＡ１Ｘネットワークでは、移動デバイスは、いわゆる「スロットモード」ページング動作で動作する。スロットモード動作中には、移動デバイスは、（各スロット毎にチェックするのではなく）割当済のスロットに従ってページングチャネルをモニタする。
【００５８】
ＣＤＭＡ１Ｘネットワーク１０２Ｂ内では、高速ページングチャネル（ＱＰＣＨ）は、非暗号化、拡散及びＯｎ−Ｏｆｆ−キーイング変調拡散スペクトル信号である。これは、８０ミリ秒（８０ｍｓ）時間スロットに分割される。ＵＥ２００は、ＱＰＣＨスロットに割り当てられ、これは、自身の割当済のページングスロットの前の１００ミリ秒（１００ｍｓ）で開始する。ページングスロット（ＰＧ＿ＳＬＯＴ）は、ＵＥのＩＭＳＩに基づくハッシュ関数で計算される。ＣＤＭＡ１Ｘハッシュ関数は、移動局の集団に対するページングが、多くのページングリソースに渡ってむらなく配信されることを保証する。
【００５９】
以下のハッシュ関数は、ＣＤＭＡ１Ｘ専用であり、他のセルラー技術は、広範囲の異なるハッシュ関数を別々に実現する（及びその他の目的で）。ここで、以下のことは、単なる例示の目的に対して提供され、本発明は、このハッシュ関数、あるいは任意の他の特定のハッシュあるいは暗号化関数に制限されるものではないことが明らかであろう。
【００６０】
ＣＤＭＡ１Ｘハッシュ関数
ＣＤＭＡ１Ｘネットワーク１０２Ｂでは、０から２０４７の番号が付けられている２０４８個のページングスロットが存在し、これは、最大スロットサイクル長が１６３．８４秒にわたる。ハッシュ関数は決定論的であり、移動デバイスあるいはユーザ機器（ＵＥ）ＩＭＳＩから導出されるハッシュキー（ＨＡＳＨ＿ＫＥＹ）に基づいている。ページングスロットは、以下の式に従って判定される。
【００６１】
PG_SLOT = FLOOR[ N x (40503 x (L XOR H XOR DECORR)) modulo 216) / 216],
ここで
HASH_KEY = IMSI_O_S1の下位３２ビット + 224 x IMSI_O_S2;
L = HASH_KEYの下位１６ビット;
H = HASH_KEYの上位１６ビット;
N = 2048;
DECORR = 6 x HASH_KEYの下位１２ビット
移動デバイスが適切なページングスロットを一旦判定すると、移動デバイスは、例えば、登録メッセージ、開始メッセージ、及びページング応答メッセージの少なくとも１つを介して、ＣＤＭＡ１Ｘネットワークに望ましいスロットサイクルを指示する（また、定期的に更新する）。移動デバイスのＩＭＳＩと、ＣＤＭＡ１Ｘネットワークとネゴシエートされたパラメータとの組み合わせは、ページングスキームを定義する。
【００６２】
移動デバイスは、スロットの開始において転送ページングチャネル（Ｆ−ＰＣＨ）を介してページングをモニタすることになる。ここで、ＳＬＯＴ＿ＮＵＭ（システム時間に基づいている）は、ＰＧ＿ＳＬＯＴに等しい（移動デバイスのＩＭＳＩに基づいている）。ＱＰＣＨは、１００ｍｓだけＦ−ＰＣＨに先行し、移動デバイスがＦ−ＰＣＨを復号すべきであるか、あるいはＦ−ＰＣＨを無視することができるかを判定するために使用することができる。ＳＬＯＴ＿ＮＵＭは、以下の式によって与えられる。
【００６３】
SLOT_NUM = FLOOR[ t/4 ] modulo 2048, 
ここで、
t = システム時間 (フレーム内)
具体的には、各移動デバイスは、以下の式が真である場合、Ｆ−ＰＣＨでページングすることができる。
【００６４】
(FLOOR[(t+5)/4] - PG_SLOT) modulo (16 x T) = 0,
ここで
T = 2i;
ここで
i = 移動デバイスによって特定されるSLOT_CYCLE_INDEX
移動デバイスは、スロット毎にＱＰＣＨの１ビットを監視し、着信ページングを探す必要があるかどうかを判定する。ビットが１（１）である場合、移動デバイスは、ＱＰＣＨの直後に続く、定期的に割り当てられているＦ−ＣＣＣＨ／Ｆ−ＰＣＨスロットを復号することになる。そうでなければ、ビットがゼロ（０）である場合、移動デバイスは、現在のページングサイクルを無視することができ、そして、スリープに戻ることができる（あるいは、別のネットワークにチューニングを戻す）。
【００６５】
図４を参照すると、ステップ４０４で、ユーザ機器（ＵＥ）２００は、ＬＴＥネットワーク１０２Ａに登録する。この実施形態でのＬＴＥネットワークは、ＣＤＭＡ１Ｘネットワーク１０２Ｂと、任意の登録情報を共有しないで、また、ＣＤＭＡ１ＸネットワークとのＵＥの登録状態を感知しない。しかしながら、ＬＴＥネットワークは、（ｉ）ＵＥのＩＭＳＩに基づくＣＤＭＡ１Ｘネットワーク内のＵＥのページングスケジュールと、（ｉｉ）共通のＧＰＳ時間基準に基づくＣＤＭＡ１Ｘシステム時間の両方を判定することができる。事実、ＬＴＥネットワークとＣＤＭＡ１Ｘネットワークは、有利なことに、本発明の提示の実施形態の動作のために、互いにいかなる情報も交換する必要がなく、また、互いに知らなくてさえ良いことに注意する。
【００６６】
ステップ４０６では、ＬＴＥネットワーク１０２Ａは、ＣＤＭＡ１Ｘネットワーク１０２Ｂ内のＵＥ２００のページングスケジュールを判定する。一実施形態では、ＬＴＥネットワークは、ＵＥのＩＭＳＩに基づいてＵＥのページングスケジュールを計算する（ＣＤＭＡ１Ｘハッシュ関数の上記参照）。ＵＥのページングスケジュールは、ＵＥが登録されているＣＤＭＡ１Ｘネットワークに関わらず、同一である。
【００６７】
また、他のネットワーク技術に対するページングスキームは、比較的簡単に説明することで、移動デバイスのページングスケジュールは、他のネットワーク技術に対して相対的に少ない情報で容易に判定することができることが明らかである（例えば、デバイス自身に問い合わせることによる、自身の接続ネットワーク等）。
【００６８】
方法４００のステップ４０８では、ＬＴＥネットワーク１０２Ａは、ＵＥ２００のページングスケジュールに基づいて、１つ以上の影響を受ける時間スロットを判定する。ＬＴＥネットワークは、変換に基づいて、ＣＤＭＡ１Ｘ時間スロットを対応するＬＴＥ時間スロットへ変換する。ＬＴＥネットワーク１０２ＡとＣＤＭＡ１Ｘネットワーク１０２Ｂの両方は、同一のグローバル位置決めシステム（ＧＰＳ）時間基準から自身の時間基準を導出するので、ＣＤＭＡ１Ｘ時間基準とＬＴＥ時間基準は、互いにドリフトすることはない。
【００６９】
ステップ４１０で、ＬＴＥネットワーク１０２Ａは、判定された時間期間中に、ＵＥに対する１つ以上の低優先度タスクをスケジュールする。低優先度タスクだけが、任意の取り得るＣＤＭＡ１Ｘネットワークメインテナンスと重複するので、ＬＴＥネットワークは、ＵＥ２００がＬＴＥネットワークから離れてチューニングする場合に最小限に影響を及ぼされることになる（仮にあるとしても）。この例では、ＬＴＥネットワークは、周波数間セル品質あるいはＲＡＴ（無線アクセス技術）間セル品質を測定するために、ＵＥに対する測定ギャップを構成設定する。たとえ周波数間及びＲＡＴ間セル検出及び測定のためにＵＥに測定ギャップが割り当てられるとしても、ＵＥは、この時間を使用して、チューンアウトして、ＣＤＭＡ高速ページングチャネル（ＱＰＣＨ）内のＣＤＭＡ１Ｘページングインジケータを監視することができる。
【００７０】
装置
図５は、本発明に従って構成設定されるネットワークエンティティ５００の一実施形態を示している。このネットワークエンティティは、スタンドアローンエンティティ、あるいは他のネットワークエンティティ（例えば、基地局、基地局コントローラ、無線アクセスネットワークコントローラ等）とすることができる。
【００７１】
図５に示されるように、ネットワークエンティティ５００は、一般的には、セルラーデバイス、プロセッサ５０４、及び記憶装置５０６とインタフェースするための無線（例えば、セルラー）インタフェース５０２を含んでいる。セルラーインタフェースは、１つ以上の移動デバイスと通信するように構成されている無線セルラーインタフェースとして示されているが、他の構成設定及び機能に置換することができる。例えば、代替の実施形態では、セルラーインタフェースは、基地局との有線通信であっても良い。この場合、基地局は、移動デバイスと通信する。
【００７２】
高レベルで、図５に示される装置５００のセルラーインタフェース５０２は、無線周波数通信（ＲＦ）を介してデータを送受信するように構成されている１つ以上の無線トランシーバ回路を含んでいる。無線トランシーバの共通の実施形態は、一般的には、モデムプロセッサ、及び１つ以上のアンテナを含んでいる。本発明の一実施形態では、無線トランシーバは、ロングタームエボリューション（ＬＴＥ）無線アクセス技術に従って構成設定されている。本発明の様々な他の実装は、他のセルラー規格及び無線規格の少なくとも一方に対して構成設定されていても良いことが認識される。このような技術の共通の例には、ＧＳＭ、ＧＰＲＳ、ＥＤＧＥ、ＷＣＤＭＡ、ＣＤＭＡ２０００、ＣＤＭＡ１Ｘ、ＣＤＭＡ１Ｘ−ＥＶＤＯ、ＬＴＥ−Ａ等、及びそれらの様々な組み合わせを含んでいる。
【００７３】
一実施形態では、セルラーインタフェース５０２は、優先度エンジン５０８に接続されていて、ここで、優先度エンジンは、他のネットワークリソースとの衝突の尤度に従って、１つ以上のネットワークリソースを優先度付けするように構成設定されている。一実施形態では、優先度エンジンは、１つ以上の他のネットワークに対する時間基準とその１つ以上の他のネットワークに対するスケジュール情報を受信するコンピュータプログラムを備えている。
【００７４】
一変形では、時間基準情報は、グローバル位置決めシステム（ＧＰＳ）受信機のマスタ時間基準５１０から導出される。他の変形では、他の時間基準を、ネットワークインタフェース、専用インタフェース、内部基準等を介して受信しても良い。また、ネットワーク装置は、１つ以上の他のネットワーク時間ドメインに関連付けられている１つ以上の追加の時間基準を生成し、そして、追跡するように適合されていても良い。例えば、図示されるように、ネットワークエンティティは、ＬＴＥネットワーク時間基準とＣＤＭＡ１Ｘネットワーク時間基準の両方を生成することができる。他の様々な実施形態は、調整データに基づいて定期的に調整することができるローカライズ時間基準生成を提供することができる（例えば、疎結合ネットワーク間で交換されるタイムスタンプ）。他のこのような例示の実装では、この時間基準は、外部からネットワークエンティティに提供されても良い。例えば、この場合、ネットワークエンティティは、既知の時間基準を有する他のネットワークエンティティと接続されている。
【００７５】
一変形では、スケジュール情報は、１つ以上の他のネットワークの既知の動作に基づいていても良く、あるいは、選択的には、明示的なメッセージングを介して優先度エンジン５０８に識別されても良い。例えば、１つ以上の他のネットワークのピアネットワークエンティティは、優先度エンジンに、例えば、既知のページングスケジュールを提供することができる。他の変形では、スケジュール情報は、優先度エンジンによって事前に知られていても良い。例えば、優先度エンジンは、１つ以上の他のネットワークに関連付けられているスケジューリング情報を伴って製造されても良く、あるいは、例えば、製造責任者あるいは他の管理エンティティによってそのような情報で更新されても良い。このような更新は、無線インタフェース（群）を通じて、あるいは他のインタフェース（例えば、有線を含む）を介して受信されても良い。
【００７６】
通常の動作中には、上述のセルラーインタフェース５０２は、優先度エンジン５０８の入力の少なくとも一部に基づいて、移動デバイスとともに通信機能を調整する。例えば、一実施形態では、セルラーインタフェースは、移動デバイスに関連付けられている低優先度時間スロット内で、その移動デバイスに対する測定間隔を提供するように構成設定されている。他の例では、セルラーインタフェースは、低優先度時間スロット中に、低データレートの耐性データだけを、あるいは選択的には、高損失レートを容認することができる制御情報だけを、送信するように構成設定されていても良い。本発明の更なる他の変形は、本開示の内容を与えることで、当業者は容易に認識するであろう。
【００７７】
プロセッサ５０４は、１つ以上のプロセッサ（あるいはマルチコアプロセッサ（群））を含んでいる。加えて、プロセッサは、処理メモリ及び記憶装置の少なくとも一方に接続されている。処理サブシステムの一般的な実装は、信号プロセッサ、汎用プロセッサ、ネットワークプロセッサ、フィールドプログラマブルゲートアレイ（ＦＰＧＡ）、デジタル信号プロセッサ（ＤＳＰ）、及びそれらの任意の組み合わせ内で実現される。メモリ及び記憶装置の典型的な実装は、ランダムアクセスメモリ（ＲＡＭ）、及びそれらの派生（ダイナミックＲＡＭ、スタティックＲＡＭ、シンクロナスＲＡＭ等）、フラッシュメモリ、及びハードディスクドライブ（ＨＤＤ）を含んでいる。また、１つ以上のメモリ装置が、更に、様々な冗長スキーム（例えば、冗長廉価ドライブアレイ（ＲＡＩＤ））等で構成設定されていても良いことが更に理解される。
【００７８】
一実施形態では、ネットワークエンティティ５００は、更に、ネットワークインタフェース５１２を介して有線ネットワークインフラストラクチャに接続されている。ネットワークインタフェースは、一般的には、イーサネットネットワークとともに使用するように適合されているが、他の適切なネットワーク派生品として、同期光ネットワーキング（ＳＯＮＥＴ）、非同期転送モード（ＡＴＭ）、ＭｏＣＡ等を含んでいる。物理インタフェースの様々な形式が、関連技術の範囲内で広く使用され、これには、例えば、イーサネットケーブル（例えば、ＣＡＴ５）、同軸、光ファイバ等が含まれる。
【００７９】
本発明の一定の態様が、方法の特定のシーケンスのステップ群で記載される一方で、これらの記載は、本発明のより上位の方法の単なる例示であり、また、特定の用途による要求に応じて変形されても良いことが認識されるであろう。一定のステップ群は、不必要なものとして、あるいは一定の条件下ではオプションであるものとして表現されても良い。加えて、一定のステップ群あるいは機能が、開示の実施形態に追加されても良く、あるいは、２つ以上のステップ群の実行の順序が変更されても良い。このような変形のすべては、開示される発明及び本明細書の特許請求の範囲で記載される内容を網羅するものと見なされる。
【００８０】
上述の詳細な説明は、様々な実施形態に適用される本発明の新規な特徴を示し、記載し、指摘しているが、図示されるデバイスあるいはプロセスの形態及び詳細における様々な省略、置換及び変更が、本発明から逸脱することなく当業者によってなされても良いことが理解されるであろう。上述の記載は、本発明を実行する最良の形態であることが予定されている。この記載は、本発明を制限することを意味するものではなく、むしろ、本発明の一般的な原理の図示として解釈されるべきである。本発明の範囲は、請求項を参照することで判断されるべきである。
【図１】
2016054528.tif 000003
【図２】
2016054528.tif 000004
【図３】
2016054528.tif 000005
【図４】
2016054528.tif 000006
【図５】
2016054528.tif 000007
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
第１の無線ネットワークと関連しており、かつ、クライアントデバイスが前記第１の無線ネットワークと第２の無線ネットワークとに接続されている場合に前記クライアントデバイスにより実行されるタスクに優先度を付けるように構成できるネットワーク装置であって、
前記第１の無線ネットワークを介して前記クライアントデバイスと通信するように構成された１つ以上のネットワークインタフェースと、
前記１つ以上のネットワークインタフェースとの通信を行う１つ以上のプロセッサと、
前記１つ以上のプロセッサと通信を行い、コンピュータ実行可能命令を格納する記憶装置とを備え、
前記コンピュータ実行可能命令は、前記１つ以上のプロセッサによって実行される場合に、前記ネットワーク装置に、
前記クライアントデバイスが前記第２の無線ネットワークを介して高優先度タスクを実行するよう時間リソースの中にスケジュールされるところの前記時間リソースを判定させ、
前記クライアントデバイスによって前記第１の無線ネットワークを介して実行される低優先度タスクを、前記判定された時間リソースの中にスケジュールさせ、
前記クライアントデバイスは、前記ネットワーク装置へ通知することなく、前記第２の無線ネットワークを介して前記高優先度タスクを実行するために前記第１の無線ネットワークから離れて前記第２の無線ネットワークへとチューニングするよう構成される
ことを特徴とするネットワーク装置。
【請求項２】
前記高優先度タスクは、ページング通信のために前記第２の無線ネットワークのページングチャネルを監視することを含む
ことを特徴とする請求項１に記載のネットワーク装置。
【請求項３】
前記ネットワーク装置は、前記クライアントデバイスから受信したデバイス識別子から導出された情報の少なくとも一部に基づいて前記時間リソースを判定する
ことを特徴とする請求項１に記載のネットワーク装置。
【請求項４】
前記デバイス識別子は、前記クライアントデバイスに関連付けられた国際移動体加入者識別子（ＩＭＳＩ）を含む
ことを特徴とする請求項３に記載のネットワーク装置。
【請求項５】
前記低優先度タスクは、無線モニタリング、又は、低優先度メッセージング、又は、時間鈍感なデータ送信を含む
ことを特徴とする請求項１に記載のネットワーク装置。
【請求項６】
前記コンピュータ実行可能命令は、前記ネットワーク装置に更に、
周波数間セル品質またはＲＡＴ（無線アクセス技術）間セル品質を測定するためにクライアントデバイスに対して測定ギャップを設定させる
ことを特徴とする請求項１に記載のネットワーク装置。
【請求項７】
前記ネットワーク装置は、（ｉ）前記第２の無線ネットワークについての時間基準と、（ｉｉ）前記第２の無線ネットワークについてのスケジュール情報と、の一方または両方の少なくとも一部に基づいて前記時間リソースを判定する
ことを特徴とする請求項１に記載のネットワーク装置。
【請求項８】
前記ネットワーク装置は、前記ネットワーク装置に事前に知られているスケジュール情報の少なくとも一部に基づいて前記時間リソースを判定する
ことを特徴とする請求項１に記載のネットワーク装置。
【請求項９】
前記タスクの優先度についての基準は、（ｉ）前記クライアントデバイスが前記ネットワークとの通信を維持するために必要なタスクと、（ｉｉ）時間に影響を受けやすい動作または定期動作をサポートするために必要なタスクと、（ｉｉｉ）ユーザ指定プリファレンスまたは要件をサポートするためのタスクと、の少なくともいずれかを含む
ことを特徴とする請求項１に記載のネットワーク装置。
【請求項１０】
前記第１の無線ネットワークと前記第２の無線ネットワークとの間の調整レベルとは無関係に前記第１の無線ネットワークと前記第２の無線ネットワークとに対してタスクがスケジュールされる
ことを特徴とする請求項１に記載のネットワーク装置。
【請求項１１】
ハイブリッドネットワーク動作のために構成されているクライアントデバイスであって、
１つ以上のプロセッサと、
少なくとも第１の無線ネットワークと第２の無線ネットワークとを介して通信するよう構成できる１つ以上の無線インタフェースと、
前記１つ以上のプロセッサと通信を行い、コンピュータ実行可能命令を格納する記憶装置とを備え、
前記コンピュータ実行可能命令は、前記１つ以上のプロセッサによって実行される場合に、前記クライアントデバイスに、
前記１つ以上の無線インタフェースの第１の無線インタフェースを使用して前記第１の無線ネットワークに登録させ、
前記１つ以上の無線インタフェースの第２の無線インタフェースを使用して前記第２の無線ネットワークに登録させ、
前記第１の無線ネットワークを介して前記クライアントデバイスにより時間リソースの中で実行される１つ以上の低優先度タスクのスケジュールを前記第１の無線ネットワークから受信させ、
前記第２の無線ネットワークを介して前記クライアントデバイスにより前記時間リソースの中で実行される１つ以上の高優先度タスクのスケジュールを前記第１の無線ネットワークから受信させ、前記１つ以上の高優先度タスクは前記第２の無線ネットワークのページング状態をチェックすることを含んでおり、
前記時間リソースの中で前記第２の無線ネットワークのページング状態をチェックするために、前記第１の無線ネットワークへの登録を維持しながら、前記第１の無線ネットワークのネットワーク装置へ通知することなく、前記第１の無線ネットワークから離れてチューニングさせる
ことを特徴とするクライアントデバイス。
【請求項１２】
前記コンピュータ実行可能命令は、前記クライアントデバイスに更に、
前記第２の無線ネットワークからページングを受信していない場合には、
前記第１の無線ネットワークへとチューニングを戻させ、
前記第１の無線ネットワークとの動作を再開させ、
前記第２の無線ネットワークから少なくとも１つのページングを受信している場合には、
前記少なくとも１つのページングに応答させ、
前記第１の無線ネットワークの前記ネットワーク装置に、前記第１の無線ネットワークと前記クライアントデバイスとの間の接続を終了するよう通知させ、前記第１の無線ネットワークと前記クライアントデバイスとの間の接続は、サービスを不意に失うことなく終了する
ことを特徴とする請求項１１に記載のクライアントデバイス。
【請求項１３】
前記コンピュータ実行可能命令は、前記クライアントデバイスに更に、
前記第２の無線ネットワークからページングを受信していない場合には、
前記第１の無線ネットワークへとチューニングを戻させ、
前記第１の無線ネットワークでの動作を再開させ、
前記第２の無線ネットワークから少なくとも１つのページングを受信している場合には、
前記第１の無線ネットワークの前記ネットワーク装置に通知することなく前記少なくとも１つのページングに応答させる
ことを特徴とする請求項１１に記載のクライアントデバイス。
【請求項１４】
前記第２の無線ネットワークを介して前記クライアントデバイスにより実行される前記１つ以上の高優先度タスクのスケジュールは、前記クライアントデバイスが前記第２の無線ネットワークのページングチャネルを監視するためのページングスケジュールを含む
ことを特徴とする請求項１１に記載のクライアントデバイス。
【請求項１５】
前記第１の無線ネットワークを介して前記クライアントデバイスにより実行される前記１つ以上の低優先度タスクのスケジュールは、前記クライアントデバイスが前記第２の無線ネットワークを介して高優先度通信を受信するときに前記クライアントデバイスが前記第１の無線ネットワークとの通信を維持することを許す
ことを特徴とする請求項１４に記載のクライアントデバイス。
【請求項１６】
前記第１の無線ネットワークは、前記クライアントデバイスのデバイスインジケータと、グローバル位置決めシステム（ＧＰＳ）の時間基準の少なくとも一部に基づいて決定された前記第２の無線ネットワークのシステム時間と、の少なくとも一部に基づいて、前記クライアントデバイスが前記第２の無線ネットワークのページングチャネルを監視するためのページングスケジュールを決定する
ことを特徴とする請求項１４に記載のクライアントデバイス。
【請求項１７】
前記第１の無線ネットワークはロングタームエボリューション（ＬＴＥ）ネットワークを含み、前記第２の無線ネットワークは符号分割多元アクセス（ＣＤＭＡ）ネットワークまたは移動通信用グローバルシステム（ＧＳＭ）ネットワークを含む
ことを特徴とする請求項１１に記載のクライアントデバイス。
【請求項１８】
第１の無線ネットワークと関連しており、かつ、クライアントデバイスが前記第１の無線ネットワーク及び第２の無線ネットワークに接続されている場合に前記クライアントデバイスにより実行されるタスクに優先度を付けるように構成できるネットワーク装置のための方法であって、
前記ネットワーク装置により、
１つ以上のネットワークインタフェースを介して、前記第１の無線ネットワークを介して前記クライアントデバイスと通信し、
前記クライアントデバイスが前記第２の無線ネットワークを介して高優先度タスクを実行するよう時間リソースの中にスケジュールされるところの前記時間リソースを判定し、
前記クライアントデバイスによって前記第１の無線ネットワークを介して実行される低優先度タスクを前記判定された時間リソースの中にスケジュールし、
前記クライアントデバイスは、前記ネットワーク装置へ通知することなく、前記第２の無線ネットワークを介して前記高優先度タスクを実行するために前記第１の無線ネットワークから離れて前記第２の無線ネットワークへとチューニングする
ことを特徴とする方法。
【請求項１９】
前記クライアントデバイスは、前記判定された時間リソースの中で前記低優先度タスクを実行する
ことを特徴とする請求項１８に記載の方法。
【請求項２０】
前記低優先度タスクは、前記クライアントデバイスから前記ネットワーク装置への制御データの転送を含む
ことを特徴とする請求項１９に記載の方法。
【外国語明細書】
2016054528000001.pdf